(57)【要約】【課題】従来のアナログ方式に近似する送出波形を生成するために、搬送波レベル調整処理部による計算式を二次曲線とすることにより、擬似ビットの発生を防止してエラーレイトを改善したＤＳＰモデムを提供する。【解決手段】ＤＳＰモデム６は、端末装置１のＲＳに基づいて搬送波を送出又は停止すると共に、ＳＤに基づいて搬送波を変調する変調処理部３と、搬送波の送出時及び停止時に搬送波の立ち上がり及び立ち下がり特性を調整する搬送波レベル調整処理部４と、搬送波レベル調整処理部４からの出力信号に含まれる不要信号を除去する送信フィルタ処理部５と、受信信号に含まれる不要信号を除去する受信フィルタ処理部９と、受信フィルタ処理部９から出力された受信信号レベルを所定のレベルに調整するＡＧＣ処理部１０と、搬送波を復調してデジタル信号を再生する復調処理部１１と、を備えて構成される。【選択図】図１
2007306235.tif 000002
【特許請求の範囲】
【請求項１】
送信要求信号に基づいて搬送波を送出又は停止すると共に、送信データ信号に基づいて前記搬送波を変調する変調処理部と、
該変調処理部から出力された変調信号を入力し、前記搬送波の送出時及び停止時に該搬送波の立ち上がり及び立ち下がり特性を調整する搬送波レベル調整処理部と、
該搬送波レベル調整処理部からの出力信号に含まれる不要信号を除去する送信フィルタ処理部と、
受信信号に含まれる不要信号を除去する受信フィルタ処理部と、
該受信フィルタ処理部から出力された受信信号レベルを所定のレベルに調整するＡＧＣ処理部と、
該ＡＧＣ処理部から出力された搬送波を復調してデジタル信号を再生する復調処理部と、を備えており、
前記搬送波レベル調整処理部が、搬送波の立ち上がりにおいては搬送波レベルの単位時間当たりの増大値が時間と共に漸増するようにレベル調整し、搬送波の立ち下がりにおいては搬送波レベルの単位時間当たりの減少値が時間と共に漸減するようにレベル調整することを特徴とするモデム。
【請求項２】
前記搬送波レベル調整処理部は、前記送信要求信号により前記搬送波を送出するときの前記搬送波のレベルＶｒを、前記搬送波レベルの無調整時の出力レベルをＥ，前記搬送波のレベルＶｒを所定時間に段階的に調整する処理数をＭ、該処理数Ｍの逆数１／ＭをＡとしたとき、前記Ｍを０からＭまで変化させながら、Ｖｒ＝Ｅ×（Ａ×Ｍ）2として求めることを特徴とする請求項１に記載のモデム。
【請求項３】
前記搬送波レベル調整処理部は、前記送信要求信号により前記搬送波を停止するときの前記搬送波のレベルＶｆを、前記搬送波レベルの無調整時の出力レベルをＥ，前記搬送波のレベルＶｆを所定時間に段階的に調整する処理数をＭ、該処理数Ｍの逆数１／ＭをＡとしたとき、前記Ｍを０からＭまで変化させながら、Ｖｆ＝Ｅ×［１−（Ａ×Ｍ）2］として求めることを特徴とする請求項１又は２に記載のモデム。
【発明の詳細な説明】
【技術分野】
【０００１】
本発明は、モデムに関し、さらに詳しくは、送信波制御を用いてモデムの受信特性を改善したＤＳＰ（デジタルシグナルプロセッサ）モデムに関するものである。
【背景技術】
【０００２】
モデムは、デジタル信号を音声帯域信号の搬送波に変換して伝送し、電話回線を使用してデータ伝送を行う場合に使用される装置である。モデムの変復調方法として、１２００Ｂｉｔ／Ｓ以下の低速モデムではその使用帯域が狭いため、送信／受信で各々異なった搬送波を使用し、２線式又は４線式回線において全二重又は半二重通信を構成する場合がある。しかし、従来のモデムは、送信及び受信する搬送波信号から不要波成分を除去するフィルタとしてコイル、コンデンサ等の受動部品を使用しているため、小型化及び低価格化が困難であり、近年ではコイルやコンデンサ等を使用しないＤＳＰを用いたモデムが開発されている。
【０００３】
しかしながら、前述したような従来のＤＳＰを用いたモデムは、端末装置からのＲＳ信号による制御を受けて搬送波を送出／停止する時に次のような不具合を生じていた。即ち、モデムをＤＳＰの処理により実現すると、搬送波を送出／停止した時に出力波形は瞬時に１００％のレベルに立ち上がり、又、瞬時に０％のレベルに立ち下がる特性を持っている。一方、送信側の搬送波は、ライントランスを介して送信する場合、ライントランスが持つインピーダンスと各終端インピーダンスとの間に少なからず不整合があるため、受信側にある程度のレベルが回り込んでしまう。受信側に回り込んだ送信信号は、受信側のフィルタ処理部によりかなりの部分が除去されるが、低速モデムのように送信側の搬送波と受信側の搬送波との周波数を接近させて使用している場合、フィルタ処理部からＡＧＣ処理部に受信信号と回り込んだ送信信号とが入力する。この時、送信側から回り込んでくる漏れ分が前述したように瞬時に変化する場合、及び受信信号が瞬時に変化すると、ＤＳＰのＡＧＣ処理部及び受信フィルタ、更には復調処理部が追従できず、受信特性の劣化を招いていた。
【０００４】
この受信特性の劣化を改善するために特許文献１には、変調処理部により変調された搬送波の送出時及び停止時に、搬送波の立ち上がり及び立ち下がり特性を調整する搬送波レベル調整処理部を備え、搬送波送出時及び停止時に送信信号が受信側ＡＧＣ処理部に与える影響を少なくし、受信特性を向上させるＤＳＰモデムについて開示されている。
図５は特許文献１のＤＳＰモデムにおける搬送波レベル調整処理部により調整された立ち上がり波形（ａ）と立ち下がり波形（ｂ）及び波形の抱絡線（Ｃ）を表す図である。図５（ａ）のように、特許文献１の搬送波レベル調整処理部が送信要求信号により搬送波を送出するときの計算式は、搬送波のレベルをＶｒ、搬送波レベルの無調整時の出力レベルをＥ、搬送波のレベルＶｒを時間ｔｒに段階的に調整する処理数をＭ、この処理数Ｍの逆数１／ＭをＡとしたとき、Ｍを０からＭまで変化させて、Ｖｒ＝Ｅ×Ａ×Ｍとして求めていた。また、図５（ｂ）のように、従来の搬送波レベル調整処理部が送信要求信号により搬送波を停止するときの計算式も同様にして、Ｖｆ＝Ｅ×Ａ×Ｍとして求めていた。
【特許文献１】特開２００１−２４７１６公報
【発明の開示】
【発明が解決しようとする課題】
【０００５】
しかしながら、特許文献１に開示されている従来技術は、搬送波の立ち上がり及び立ち下がり特性を調整する計算式が、Ｖｒ＝Ｖｆ＝Ｅ×Ａ×Ｍとして求めていたため、搬送波のレベルＶｒ、Ｖｆが処理数Ｍに比例して直線的（単位時間当たりの搬送波レベルの増大値／減少値が一定）に変化することとなり、従来のアナログ方式とは送出波形が異なり、擬似ビットの発生を助長してモデムのエラーレイトを悪化する要因となっていた。
本発明は、かかる課題に鑑み、従来のアナログ方式に近似する送出波形を生成するために、搬送波レベル調整処理部による計算式を例えば二次曲線とすることにより、擬似ビットの発生を防止してエラーレイトを改善したモデムを提供することを目的とする。
【課題を解決するための手段】
【０００６】
本発明はかかる課題を解決するために、請求項１は、送信要求信号に基づいて搬送波を送出又は停止すると共に、送信データ信号に基づいて前記搬送波を変調する変調処理部と、該変調処理部から出力された変調信号を入力し、前記搬送波の送出時及び停止時に該搬送波の立ち上がり及び立ち下がり特性を調整する搬送波レベル調整処理部と、該搬送波レベル調整処理部からの出力信号に含まれる不要信号を除去する送信フィルタ処理部と、受信信号に含まれる不要信号を除去する受信フィルタ処理部と、該受信フィルタ処理部から出力された受信信号レベルを所定のレベルに調整するＡＧＣ処理部と、該ＡＧＣ処理部から出力された搬送波を復調してデジタル信号を再生する復調処理部と、を備えており、前記搬送波レベル調整処理部が、搬送波の立ち上がりにおいては搬送波レベルの単位時間当たりの増大値が時間と共に漸増するようにレベル調整し、搬送波の立ち下がりにおいては搬送波レベルの単位時間当たりの減少値が時間と共に漸減するようにレベル調整することを特徴とする。
本発明のＤＳＰモデムは、構成としては状来のＤＳＰモデムと同様であるが、内部に備えられた搬送波レベル調整処理部の内部計算式を改良したものである。即ち、従来の計算式は、搬送波の立ち上がり及び立ち下がり特性を調整する計算式が直線的に変化するため、従来のアナログ方式とは送出波形が異なり、擬似ビットを発生する虞があった。そこで本発明では、この計算式を二次曲線の式となるようにして、擬似ビットの発生を防止してエラーレイトを改善するものである。
【０００７】
請求項２は、前記搬送波レベル調整処理部は、前記送信要求信号により前記搬送波を送出するときの前記搬送波のレベルＶｒを、前記搬送波レベルの無調整時の出力レベルをＥ、前記搬送波のレベルＶｒを所定時間に段階的に調整する処理数をＭ、該処理数Ｍの逆数１／ＭをＡとしたとき、前記Ｍを０からＭまで変化させながら、Ｖｒ＝Ｅ×（Ａ×Ｍ）2として求めることを特徴とする。
従来の搬送波レベル調整処理部が送信要求信号により搬送波を送出するときの計算式は、搬送波のレベルをＶｒ、搬送波レベルの無調整時の出力レベルをＥ、搬送波のレベルＶｒを所定時間に段階的に調整する処理数をＭ、この処理数Ｍの逆数１／ＭをＡとしたとき、Ｍを０からＭまで変化させて、Ｖｒ＝Ｅ×Ａ×Ｍとして求めていた。これに対して本発明では、Ｖｒ＝Ｅ×（Ａ×Ｍ）2として求めることにより、搬送波の立ち上がりレベルが二次元的に変化して、従来のアナログ方式に近似することができる。
【０００８】
請求項３は、前記搬送波レベル調整処理部は、前記送信要求信号により前記搬送波を停止するときの前記搬送波のレベルＶｆを、前記搬送波レベルの無調整時の出力レベルをＥ、前記搬送波のレベルＶｆを所定時間に段階的に調整する処理数をＭ、該処理数Ｍの逆数１／ＭをＡとしたとき、前記Ｍを０からＭまで変化させながら、Ｖｆ＝Ｅ×［１−（Ａ×Ｍ）2］として求めることを特徴とする。
従来の搬送波レベル調整処理部が送信要求信号により搬送波を停止するときの計算式は、搬送波のレベルをＶｆ、搬送波レベルの無調整時の出力レベルをＥ、搬送波のレベルＶｆを所定時間に段階的に調整する処理数をＭ、この処理数Ｍの逆数１／ＭをＡとしたとき、Ｍを０からＭまで変化させて、Ｖｆ＝Ｅ×Ａ×Ｍとして求めていた。これに対して本発明では、Ｖｆ＝Ｅ×［１−（Ａ×Ｍ）2］として求めることにより、搬送波の立ち下がりレベルが二次元的に変化して、従来のアナログ方式に近似することができる。
【発明の効果】
【０００９】
本発明によれば、搬送波の送出時及び停止時に該搬送波の立ち上がり及び立ち下がり特性を調整する搬送波レベル調整処理部により、内部計算式を二次曲線の式となるようにしたので、擬似ビットの発生を防止してエラーレイトを改善することができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明に係るモデムの構成図である。このモデム２は、ＤＳＰモデム６とライントランス７から成り、ＤＳＰモデム６は、端末装置１の送信要求信号（ＲＳ）に基づいて搬送波を送出又は停止すると共に、送信データ信号（ＳＤ）に基づいて搬送波を変調する変調処理部３と、変調処理部３から出力された変調信号を入力し、搬送波の送出時及び停止時に搬送波の立ち上がり及び立ち下がり特性を調整する搬送波レベル調整処理部４と、搬送波レベル調整処理部４からの出力信号に含まれる不要信号を除去する送信フィルタ処理部５と、受信信号に含まれる不要信号を除去する受信フィルタ処理部９と、受信フィルタ処理部９から出力された受信信号レベルを所定のレベルに調整するＡＧＣ処理部１０と、ＡＧＣ処理部１０から出力された搬送波を復調してデジタル信号を再生する復調処理部１１と、を備えて構成される。
【００１１】
次にモデム２の動作について説明する。例えば、変調方式をＦＳ変調方式、伝送速度を２００ｂｉｔ／ｓｅｃ以下、搬送波周波数として中心周波数を低域側１２００Ｈｚ、高域側１６００Ｈｚとし、送信側に１２００Ｈｚ、受信側に１６００Ｈｚを割り当て、更に搬送波の偏移幅はスペース信号“０”を＋１００Ｈｚに、マーク信号“１”を−１００Ｈｚとする。モデムを起動してデータ伝送を行う動作を説明する。先ず、端末装置１は送信要求としてＲＳ信号を“１”とすると、モデム２は変調処理部３が応答しスペース信号となる１３００Ｈｚの搬送波レベルを瞬時に１００％まで出力し、その後、ＳＤ信号に従って搬送波を１２００Ｈｚ±１００Ｈｚに変調する。この時、搬送波のレベルが瞬時に立ち上がることにより前述した不具合が発生するため、搬送波を搬送波レベル調整処理部４に入力し、搬送波の立ち上がりを緩やかにする。
【００１２】
図２は搬送波レベル調整処理部の出力波形を示し、（ａ）は搬送波の送出を行う時の立ち上がり波形を、（ｂ）は搬送波の停止を行う時の立ち下がり波形を夫々示し、（ｃ）は抱絡線を示す。本実施形態においては、ＤＳＰモデム６の処理時間ｔｒ、ｔｆとして搬送波レベルの０％から１００％及び１００％から０％への変化を２０ｍｓとしている。尚、図２おいて示している搬送波波形の周波数は搬送波レベル調整処理部４の機能を示すために用いたものであって現実の周波数とは異なる。次にレベル調整された中心周波数１２００Ｈｚの搬送波は、送信フィルタ処理部５に入力し、送信側の使用帯域である１２００Ｈｚ±１００Ｈｚのみを通過させ、２線式回線８に不要波を出力しないようにフィルタリングする。フィルタリングした搬送波は、２線式／４線式変換するライントランス７に入力し、２線式回線８に出力する。 
【００１３】
一方、２線式回線８より受信する対向局からの搬送波は、ライントランス７により２線式／４線式変換し受信回路に取り込まれる。受信した中心周波数１６００Ｈｚ±１００Ｈｚに変調された搬送波は、受信フィルタ処理部９により受信側の使用帯域である１６００Ｈｚ±１００Ｈｚのみを通過させ、ノイズ成分を除去する。続いて、フィルタリングされた搬送波は、ＡＧＣ処理部１０により受信レベルを復調に必要な所定のレベルまで自動調整する。この時、対向局の送信側の中心周波数１６００Ｈｚの搬送波を送出／停止した場合には、それに応じて受信側の搬送波レベルが変化するが、前述したようにレベル変化を緩やかな変化としてあることにより、ＡＧＣ処理部１０を処理するＤＳＰモデム６の動作時間は十分追従することができて受信レベルを自動調整する。所定のレベルに自動調整した搬送波は、復調処理部１１に入力し、搬送波の１７００Ｈｚはスペース信号“０”に、１５００Ｈｚはマーク信号“１”に復調し、ＲＤ信号として端末装置１に出力する。
【００１４】
以上のように本実施形態のＤＳＰモデム６は、構成としては状来のＤＳＰモデムと同様であるが、内部に備えられた搬送波レベル調整処理部４の内部計算式を改良したものである。即ち、従来の計算式は、搬送波の立ち上がり及び立ち下がり特性を調整する計算式が直線的に変化するため、従来のアナログ方式とは送出波形が異なり、擬似ビットを発生する虞があった。そこで本実施形態では、この計算式を二次曲線の式となるようにして、擬似ビットの発生を防止してエラーレイトを改善するものである。
即ち、本実施形態の搬送波レベル調整処理部４が送信要求信号（ＲＳ）により搬送波を送出するときの計算式は、搬送波のレベルをＶｒ、搬送波レベルの無調整時の出力レベルをＥ、搬送波のレベルＶｒを所定時間ｔｒに段階的に調整する処理数をＭ、この処理数Ｍの逆数１／ＭをＡとしたとき、Ｍを０からＭまで変化させて、Ｖｒ＝Ｅ×（Ａ×Ｍ）2として求めることにより、搬送波の立ち上がりレベルが二次元的に変化して、従来のアナログ方式に近似することができる。また、従来の搬送波レベル調整処理部が送信要求信号により搬送波を停止するときの計算式は、搬送波のレベルをＶｆ、搬送波レベルの無調整時の出力レベルをＥ、搬送波のレベルＶｆを所定時間ｔｆに段階的に調整する処理数をＭ、この処理数Ｍの逆数１／ＭをＡとしたとき、Ｍを０からＭまで変化させて、Ｖｆ＝Ｅ×［１−（Ａ×Ｍ）2］として求めることにより、搬送波の立ち下がりレベルが二次元的に変化して、従来のアナログ方式に近似することができる。
【００１５】
図３は、本発明に係るモデムの搬送波立ち上がり時におけるレベル調整の動作を示すフローチャートである。なお、図２で説明したように、搬送波レベルの立ち上がり時及び立ち下がり時の定常状態までの時間を２０ｍｓ、サンプリング周波数を８ｋＨｚ、レベル調整処理を１００段階とする。また定数Ａは搬送波レベルの調整が１００段階を２０ｍｓかかって実行するように、０．０１（プログラムが１００周してＡ×Ｍ＝１となるようにＡの値を設定）としている。まず、端末装置１からの送信要求信号ＲＳの有無を検出し、ＲＳ信号を検出しない場合には（Ｓ１でＮＯのルート）待ち受け状態を維持する（Ｓ１）。一方、ＲＳ信号を検出した場合には（Ｓ１でＹＥＳのルート）ステップＳ２に進み、前回のルーチンにおいて送信要求信号（ＲＳ）があったか否かを判断する（Ｓ２）。ステップＳ１においてＲＳ信号を検知した直後は前回ルーチンにおける送信要求信号は存在しないので、一周前ＲＳ信号（ＢＲＳ）は０であり（Ｓ２でＮＯのルート）、ステップＳ３に進む。すなわち、ＲＳ信号の立ち上がりを検知し、立ち上がり時のレベル調整処理が開始される（Ｓ３）。レベル調整処理は正数Ｍを０にセットし（Ｓ４）、Ｖｒ＝Ｅ×（Ａ×Ｍ）2の計算が実行される（Ｓ５）。その後、正数Ｍを“＋１”し（Ｓ６）、さらに一周前ＲＳ信号（ＢＲＳ）を１にセットし（Ｓ７）、ステップＳ１に戻る。
【００１６】
２回目のルーチンにおいて、送信要求信号ＲＳがあると（Ｓ１でＹＥＳのルート）、ステップＳ２に進み、その際、ＢＲＳは前回ルーチンのステップＳ７にて１にセットされているので、ステップＳ８に進み（Ｓ２でＹＥＳのルート）、正数Ｍの値が判断される（Ｓ８）。正数Ｍが“０”でない場合（Ｓ８でＮＯのルート）、ステップＳ９に進み、再び正数Ｍの値が１００であるか否かを判断する（Ｓ９）。Ｍ＝１００に達していない場合（Ｓ９でＮＯのルート）、ステップＳ５においてＶｒ＝Ｅ×（Ａ×Ｍ）2の計算が実行される。すなわち、搬送波レベルの調整をしない時の出力Ｅに対し、Ｍ＝１、Ａ＝０．０１が乗算され、レベル調整が図られ、さらに正数Ｍをカウントアップし（Ｓ６）、Ｓ１→Ｓ２→Ｓ８→Ｓ９→Ｓ５→Ｓ６→Ｓ７→Ｓ１の処理が行われる。
【００１７】
一方、１００回目のルーチンではＭ＝１００であるので、ステップＳ９における判断が「Ｙｅｓ」となり、ステップＳ１０に進み、Ｍ＝０に設定し（Ｓ１０）、出力Ｖｒは無調整の搬送波レベルＥとなり（Ｓ１１）、送信要求信号ＲＳが入力し続ける限り、ステップＳ７→Ｓ１→Ｓ２→Ｓ８→Ｓ１１→Ｓ７の処理が行われる。以上の処理により搬送波の立ち上がり特性が、処理数Ｍの２乗で変化する２次曲線となり、従来のアナログ方式に近似することができる。
【００１８】
図４は、本発明に係るモデムの搬送波立ち下がり時におけるレベル調整の動作を示すフローチャートであって、図３の実施形態と同様に搬送波レベルの変化時間を２０ｍｓ、サンプリング周波数８ｋＨｚ、調整段階１００、定数Ａを０．０１とする。まず、送信要求信号（ＲＳ）の有無を確認し（Ｓ２１）、搬送波要求信号ＲＳが存在する場合には、データ送信中のため待機する。送信要求信号ＲＳを検出しなくなると（ステップＳ２１でＹＥＳのルート）、前回のルーチンにおいて送信要求信号が無しか否かを確認し（Ｓ２２）、“ＢＲＳ＝０”でない時（Ｓ２２でＮＯのルーチン）、送信要求信号立ち下がりを検知し、処理を開始する（Ｓ２３）。次に、正数Ｍを１００に設定し（Ｓ２４）、Ｖｆ＝Ｅ×［１−（Ａ×Ｍ）2］を演算する（Ｓ２５）。その後、正数Ｍを“−１”し（Ｓ２６）、一周前搬送波要求信号（ＢＲＳ）を０にセットし（Ｓ２７）、再びステップＳ２１から処理が行われる。送信要求信号立ち下がり検知以降の処理ではステップＳ２２にて“ＢＲＳ＝０”となるので、ステップＳ２８に進み、正数Ｍの値を判断する。正数Ｍが“０”に等しくない場合、Ｓ２５→Ｓ２６→Ｓ２７→Ｓ２１→Ｓ２２→Ｓ２８→Ｓ２５の処理が行われ、正数Ｍが１ずつ減少するので出力は搬送波レベルの調整をしない時のＥから徐々にそのレベルが小さくなる。一方、正数Ｍが“０”に等しくなると（Ｓ２８でＹＥＳのルート）、ステップＳ２９に進み、出力Ｖｆを０として終了する。以上のように搬送波レベルの調整処理を実行することにより、ＤＳＰモデムを用いてモデムを構成した場合であっても搬送波レベルを徐々に変化させることができ、それによりライントランスから受信側フィルタ及びＡＧＣ処理部に回り込む不要な信号を低減させることができる。以上の処理により搬送波の立ち下がり特性が、処理数Ｍの２乗で変化する２次曲線となり、従来のアナログ方式に近似することができる。
【００１９】
以上の通り本発明によれば、搬送波の送出時及び停止時に搬送波の立ち上がり及び立ち下がり特性を調整する搬送波レベル調整処理部４により、内部計算式を二次曲線の式となるようにしたので、擬似ビットの発生を防止してエラーレイトを改善することができる。
また、搬送波レベル調整処理部４は、送信要求信号（ＲＳ）により搬送波を送出するとき、搬送波のレベルをＶｒ、搬送波レベルの無調整時の出力レベルをＥ、搬送波のレベルＶｒを所定時間に段階的に調整する処理数をＭ、この処理数Ｍの逆数１／ＭをＡとしたとき、Ｍを０からＭまで変化させながら、Ｖｒ＝Ｅ×（Ａ×Ｍ）2として求めるので、搬送波の立ち上がり特性が、処理数Ｍの２乗で変化する２次曲線となり、従来のアナログ方式に近似することができる。
【００２０】
また、搬送波レベル調整処理部４は、送信要求信号（ＲＳ）により搬送波を停止するとき、搬送波のレベルをＶｆ、搬送波レベルの無調整時の出力レベルをＥ、搬送波のレベルＶｆを所定時間に段階的に調整する処理数をＭ、この処理数Ｍの逆数１／ＭをＡとしたとき、Ｍを０からＭまで変化させながら、Ｖｆ＝Ｅ×［１−（Ａ×Ｍ）2］として求めるので、搬送波の立ち下がり特性が、処理数Ｍの２乗で変化する２次曲線となり、従来のアナログ方式に近似することができる。
【図面の簡単な説明】
【００２１】
【図１】本発明に係るモデムの構成図である。
【図２】搬送波レベル調整処理部の出力波形を示し、（ａ）は搬送波の送出を行う時の立ち上がり波形を示す図、（ｂ）は搬送波の停止を行う時の立ち下がり波形を示す図、（ｃ）は抱絡線を示す図である。
【図３】本発明に係るモデムの搬送波立ち上がり時におけるレベル調整の動作を示すフローチャートである。
【図４】本発明に係るモデムの搬送波立ち下がり時におけるレベル調整の動作を示すフローチャートである。
【図５】従来のＤＳＰモデムにおける搬送波レベル調整処理部により調整された波形であり、（ａ）は立ち上がり波形を示す図、（ｂ）は立ち下がり波形を示す図、（ｃ）は波形の抱絡線を示す図である。
【符号の説明】
【００２２】
１  端末装置、２  モデム、３  変調処理部、４  搬送波レベル調成部、５  送信フィルタ処理部、６  ＤＳＰモデム、７  ライントランス、８  ２線式回線、９  受信フィルタ処理部、１０  ＡＧＣ処理部、１１  復調処理部
【図１】
2007306235.tif 000003
【図２】
2007306235.tif 000004
【図３】
2007306235.tif 000005
【図４】
2007306235.tif 000006
【図５】
2007306235.tif 000007